(57)【要約】【課題】  本発明は、増幅を可能とした掛け布団を提供する。【解決手段】  本発明は、布団本体２の側方に増幅用布団片３が着脱自在に取り付けられた掛け布団１である。【選択図】  図１
2005218629.tif 000002
【特許請求の範囲】
【請求項１】
布団本体の側方に増幅用布団片が着脱自在に取り付けられた掛け布団。
【請求項２】
増幅用布団片には、第１の止着部材が取り付けられ、
布団本体が布団カバー本体内に収容され、
この布団カバー本体の側方に、増幅用布団片の取り付けによって拡幅した部分を被う増幅用カバー片が着脱自在に取り付けられ、
この増幅用カバー片の内面に第２の止着部材が取り付けられ、上記第１の止着部材と第２の止着部材とを止め付けることができるようにした請求項１の掛け布団。
【請求項３】
増幅用布団片が１以上着脱自在に取り付けられる請求項１又は２の掛け布団。
【請求項４】
布団本体と増幅用布団片とは、ファスナーにより着脱自在に取り付けられる請求項１〜３の何れかの掛け布団。
【請求項５】
布団カバー本体と増幅用カバー片とは、ファスナーにより着脱自在に取り付けられる請求項２の掛け布団。
【請求項６】
ベッドスプレッド本体の側方に増幅用スプレッド片が着脱自在に取り付けられたベッドスプレッド。
【請求項７】
増幅用スプレッド片が１以上着脱自在に取り付けられる請求項６のベッドスプレッド。
【請求項８】
布団本体と、この布団本体を被う布団カバーを有し、
布団カバーの長手方向の端部には、袋状部が形成されており、この袋状部内には、増長用布団片が取り外し自在に収容されている掛け布団。
【請求項９】
布団本体の長手方向の端部に増長用布団片が位置するように配された請求項８の掛け布団。
【発明の詳細な説明】
【技術分野】
【０００１】
この発明は、増幅または増長可能な掛け布団、また、ベッドの上に掛けて使用するベッドスプレッドに関する。
【背景技術】
【０００２】
従来から、掛け布団として、掛け布団本体の足部側に補助布団を着脱自在に設けたものが知られている（例えば、特許文献１参照。）。
【特許文献１】実開昭６０−１４２６７３号公報
【発明の開示】
【発明が解決しようとする課題】
【０００３】
しかしながら、このような従来技術において、掛け布団本体の上面に対し、係止具により、補助布団を係止することによって、掛け布団本体に補助布団を取り付けているため、掛け布団本体の足部側端部により、補助布団が上方へ持ち上げられ、補助布団の後端側が浮いてしまう恐れがあった。これにより、例えば、背の高い人が掛け布団を使用する場合に、補助布団により、使用者の足先を被うことができない恐れがあり、これを解決するためには、敷布団やベッドの下面に補助布団の後端部を固定する必要を生じ、固定するための構造が必要となるばかりか、固定するための操作が必要となってしまうという問題があった。
【０００４】
また、上記のような従来技術においては、掛け布団の長さ方向の増長のみを考慮しており、掛け布団の幅方向の増幅は全く、考慮していないものであった。
【０００５】
本発明は、以上のような問題点に鑑みてなされたものであり、布団本体を増長した場合に、掛け布団の長さ方向の後端部が浮いてしまうことを防止して、使用者の足先を被えなくなることを防ぐことができる掛け布団、また、幅方向の増幅を可能とした掛け布団、ベッドスプレッドを提供することを目的とする。
【課題を解決するための手段】
【０００６】
以上の目的のため、本発明は、布団本体の側方に増幅用布団片が着脱自在に取り付けられた掛け布団である。
【０００７】
この発明によれば、掛け布団を、例えば、シングルベッド用、セミダブルベッド用、ダブルベッド用として使用する場合に対応して、増幅用布団片を着脱することができる。また、布団本体に増幅用布団片を取り付けて拡幅することにより、床面とベッドとの空間を塞ぐことが可能となる。
【０００８】
また、本発明において、布団本体の側方に増幅用布団片が着脱自在に取り付けられ、増幅用布団片には、第１の止着部材が取り付けられ、布団本体が布団カバー本体内に収容され、この布団カバー本体の側方に、増幅用布団片の取り付けによって拡幅した部分を被う増幅用カバー片が着脱自在に取り付けられ、この増幅用カバー片の内面に第２の止着部材が取り付けられ、上記第１の止着部材と第２の止着部材とを止め付けることができるようにしても良い。
【０００９】
この発明によれば、布団本体の側方に増幅用布団片を着脱自在に取り付けることができるので、掛け布団の幅の変更をすることができる。これにより、布団使用者の用途に対応でき、例えば、シングル用、セミダブル用、ダブル用の掛け布団として使用することができる。また、布団カバー本体の側方に、増幅用布団片の取り付けによって拡幅した部分を被う増幅用カバー片を着脱自在に取り付けることができるので、布団本体の側方に増幅用布団片を付けた場合にも、拡幅した部分を増幅用カバー片により被うことができる。また、布団カバー本体の側方に増幅用布団片の取り付け、布団カバー本体の側方に増幅用カバー片を取り付けた場合に、増幅用布団片に取り付けられた第１の止着部材と増幅用カバー片の内面に取り付けられた第２の止着部材とを止め付けることにより、布団と布団カバーとを止め付けることができ、布団が布団カバー内で位置ずれすることを有効に防止できる。
【００１０】
また、本発明において、増幅用布団片が１以上着脱自在に取り付けられるようにしても良い。
また、本発明において、布団本体と増幅用布団片とは、ファスナーにより着脱自在に取り付けられるようにしても良い。
また、本発明において、布団カバー本体と増幅用カバー片とは、ファスナーにより着脱自在に取り付けられるようにしても良い。
【００１１】
また、本発明は、ベッドスプレッド本体の側方に増幅用スプレッド片が着脱自在に取り付けられたベッドスプレッドである。
【００１２】
この発明によれば、増幅用スプレッド片を着脱することにより、ベッドスプレッドを、例えば、シングルベッド用、セミダブルベッド用、ダブルベッド用として使用する場合に対応できる。また、ベッドスプレッド本体に、増幅用スプレッド片を取り付けて拡幅することにより、床面とベッドとの空間を塞ぐことが可能となる。
【００１３】
また、本発明において、増幅用スプレッド片が１以上着脱自在に取り付けられるようにしても良い。
【００１４】
また、本発明は、布団本体と、この布団本体を被う布団カバーを有し、布団カバーの長手方向の端部には、袋状部が形成されており、この袋状部内には、増長用布団片が取り外し自在に収容されている掛け布団である。
【００１５】
この発明によれば、掛け布団使用者の体の大きさ等に合わせて、袋状部内に、増長用布団片を収容し、取り外すことができる。
【００１６】
また、本発明において、布団本体の長手方向の端部に増長用布団片が位置するように配されていても良い。
【発明の効果】
【００１７】
本発明によれば、掛け布団を、例えば、シングルベッド用、セミダブルベッド用、ダブルベッド用として使用する場合に対応して、増幅用布団片を着脱することができる。また、布団本体に増幅用布団片を取り付けて拡幅することにより、床面とベッドとの空間を塞ぐことが可能となる。
また、本発明によれば、掛け布団使用者の体の大きさ等に合わせて、袋状部内に、増長用布団片を収容し、取り外すことができ、様々な掛け布団使用者に対応できる。
【発明を実施するための最良の形態】
【００１８】
以下、本発明の実施の形態につき、図面を参照して説明する。
本発明の実施の形態による掛け布団１は、図１に示すように、布団本体２と、増幅用布団片３とを備えている。
【００１９】
布団本体２は、掛け布団１の本体部であり、単体としても使用可能である。
布団本体２の両側端部には、長手方向（掛け布団を使用した場合、掛け布団使用者の背丈方向）に亘って、ファスナー４が取り付けられている。また、布団本体２の両側端部には、布団本体２の一側につき、長手方向の両端部および中間部の計３箇所づつに、ひも輪状の布団本体止着部材５が取り付けられている。また、この布団本体止着部材５は、布団本体２の先端部及び後端部における短手方向中央部にも取り付けられている。
【００２０】
増幅用布団片３は、布団本体２の側方に取り付けられる。
増幅用布団片３の両側端部には、長手方向に亘って、ファスナー６が取り付けられている。このファスナー６が布団本体２の側端部の一方のファスナー４と噛み合うことにより、増幅用布団片３が布団本体２の側方に着脱自在に取り付けられる。また、増幅用布団片３の両側端部には、増幅用布団片３の一側につき、長手方向の両端部および中間部の計３箇所づつに、ひも輪状の第１の止着部材７が取り付けられている。尚、第１の止着部材７は、増幅用布団片３の両側部に設けられるのではなく、増幅用布団片３の一側における３箇所のみに取り付けられていても良い。布団本体２の側方に、増幅用布団片３が取り付けられた状態で、この増幅用布団片３における布団本体２との取付側と反対側の側端部のファスナー６に、他の増幅用布団片３の側端部のファスナー６を取り付けることにより、布団本体２の側方に対し、複数の増幅用布団片３を取り付けられる。
【００２１】
次に、本発明の実施の形態による掛け布団１の使い方につき説明する。本発明の実施の形態による掛け布団１は、図２に示すような形態で使用する。
即ち、布団本体２の両側方に対し、１または複数の増幅用布団片３を取り付けた状態で、掛け布団１は、ベッド８で使用される。この場合、布団カバーは装着されない。この場合、ベッド８が高さの低いローベッドである場合、ベッド８の天面９（ベッド使用者が寝る面）上に布団本体２が載置され、ベッド８の天面９と床面との間の空間を塞ぐように、増幅用布団片３をベッド８の天面９と床面との間に垂らすようにされる。セミダブルベッドである場合、図２（ａ）におけるように、布団本体２の両側方の１つずつの増幅用布団片３がベッド８の天面９と床面との間に垂らされる。ダブルベッドである場合、図２（ｂ）におけるように、布団本体２の両側方の１つずつの増幅用布団片３はベッド８上に載置され、これらの増幅用布団片３の側方に、更に取り付けられた増幅用布団片３が、ベッド８の天面９と床面との間に垂らされる。
【００２２】
図１における布団本体２および増幅用布団片３は、図３、４における布団カバー本体１０および増幅用カバー片１１で覆った状態で、掛け布団１として使用することも可能である。
【００２３】
布団カバー本体１０は、布団本体２を収容するものである。布団カバー本体１０は、本体上カバー部１２および本体下カバー部１３を備えている。本体上カバー部１２と本体下カバー部１３とは、長手方向の両端部が全幅に亘って、一体として形成されている。本体上カバー部１２および本体下カバー部１３の両側端部には、長手方向に亘って、ファスナー１４が取り付けられている。本体上カバー部１２および本体下カバー部１３の一側端部同士、及び、他側端部同士は、着脱自在に連結する。布団カバー本体１０の内側の両側端部には、布団カバー本体１０の一側端部につき、長手方向の両端部および中間部の計３箇所づつに、ひも状の布団カバー本体止着部材１５が取り付けられている。布団本体２と布団カバー本体１０を単体で使用する場合、布団カバー本体止着部材１５は、布団本体止着部材５の輪内に挿入された状態で結び付けられて、止め付けされる。
【００２４】
増幅用カバー片１１は、布団カバー本体１０の側方に取り付けられるものである。図３に示した増幅用カバー片１１は、増幅用上カバー部１６および増幅用下カバー部１７を備えている。増幅用上カバー部１６と増幅用下カバー部１７とは、長手方向の両端部が全幅に亘って、一体となっている。また、増幅用上カバー部１６および増幅用下カバー部１７の両側端部のうちの一側端部が全長に亘って一体として結合されている。増幅用上カバー部１６および増幅用下カバー部１７の両側端部のうちの他側端部には、長手方向に亘って、ファスナー１８が取り付けられている。増幅用上カバー部１６のファスナー１８が、布団カバー本体１０の本体上カバー部１２のファスナー１４と連結し、増幅用下カバー部１７のファスナー１８が、布団カバー本体１０の本体下カバー部１３のファスナー１４と連結することで、布団カバー本体１０と増幅用カバー片１１とが連結するようになっている。増幅用カバー片１１の一側端部の内面には、長手方向の両端部および中間部の計３箇所づつに、ひも状の第２の止着部材１９が取り付けられている。第２の止着部材１９は、増幅用布団片３の第１の止着部材７の輪内に挿入された状態で結び付けられて止め付けされるものであり、第１の止着部材７と第２の止着部材１９とが止め付けされることによって、布団カバー本体１０および増幅用カバー片１１が、布団本体２および増幅用布団片３に対し位置ずれすることが防止される。
【００２５】
また、図４に、増幅用カバー片２０の変形例を示している。この増幅用カバー片２０が、図３に示した増幅用カバー片１１と相違する点は、増幅用上カバー部１６および増幅用下カバー部１７の両側端部の双方に、長手方向に亘って、ファスナー１８が取り付けられている点である。この増幅用カバー片２０の一側端部は、布団カバー本体１０の一側部に取付けられ、この増幅用カバー片２０の他側端部は、他の増幅用カバー片１１の側端部に取り付けられる。他の増幅用カバー片１１としては、図３に示した増幅用カバー片１１ではなく、図４に示した増幅用カバー片２０でも良い。また、図４に示した変形例としての増幅用カバー片２０の増幅用上カバー部１６および増幅用下カバー部１７の側端部のファスナー１８同士を連結し、この変形例としての増幅用カバー片２０を布団カバーの側端部分として使用することもできる。
【００２６】
次に、図５を参照して、本発明における他の実施の形態につき、説明する。
この実施の形態は、ベッドを被うカバーであるベッドスプレッド２１に関するものである。
【００２７】
このベッドスプレッド２１は、ベッドスプレッド本体２２と、増幅用スプレッド片２３とを備えている。ベッドスプレッド本体２２は、両側端部にファスナー２４を備え、布団本体２と同様の平面形状を有する。増幅用スプレッド片２３は、両側端部にファスナー２５を備え、増幅用布団片３と同様の平面形状を有し、ベッドスプレッド本体２２の側方に、ファスナー２４、２５同士を連結して着脱自在に取り付けられる。ベッドスプレッド本体２２の両側方の各々に、ファスナー２４、２５同士を連結して、夫々１つの増幅用スプレッド片２３を取り付けた場合には、セミダブルベッド用に使用可能であり、ベッドスプレッド本体２２の両側方の各々に、夫々２つの増幅用スプレッド片２３を取り付けた場合には、ダブルベッド用に使用可能である。ベッドが床面からの高さの低いローベッドである場合には、ベッドの天面（ベッド使用者が寝る面）上にベッドスプレッド本体２２が載置され、ベッドの天面と床面との間の空間を塞ぐように、増幅用スプレッド片２３をベッドの天面と床面との間に垂らすようにされる。また、ベッドの天面の幅が広い場合（ダブルベッドの場合）、ベッドの天面に、ベッドスプレッド本体２２およびその両側方の増幅用スプレッド片２３が載置され、更に、その両側方に取り付けられた増幅用スプレッド片２３により、ベッドの天面と床面との間の空間を塞ぐように、ベッドの天面と床面との間に垂らされる。
【００２８】
次に、布団本体２の両側方の増幅用布団片３を取り付けると共に、それらを布団カバー本体１０および増幅用カバー片１１で被って掛け布団１とする動作につき、説明する。
【００２９】
まず、布団本体２を布団カバー本体１０で被い、布団カバー本体１０の両側端部のファスナー１４を開状態としておく。次に、増幅用布団片３の第１の止着部材７と増幅用カバー片１１の第２の止着部材１９とを止め付けすることにより、増幅用布団片３と増幅用カバー片１１とを一体にする。この増幅用布団片３と増幅用カバー片１１とを一体にしたものを２組、用意しておく。布団本体２の両側方に、増幅用カバー片１１と一体の増幅用布団片３を、ファスナー４、６同士を連結させることにより取り付ける。布団カバー本体１０の一側端部のファスナー１４と増幅用カバー片１１のファスナー１８とを連結し、布団カバー本体１０の他側端部のファスナー１４ともう一つの増幅用カバー片１１のファスナー１８とを連結して、布団カバー本体１０の両側部の各々に、増幅用カバー片１１を取り付ける。尚、布団カバー本体１０の側部のファスナー１４と増幅用カバー片１１のファスナー１８とを噛み合わせは、具体的には、増幅用上カバー部１６のファスナー１８と、布団カバー本体１０の本体上カバー部１２のファスナー１４とを連結し、増幅用下カバー部１７のファスナー１８と、布団カバー本体１０の本体下カバー部１３のファスナー１４とを連結することにより行なう。
以上により、布団カバー本体１０および増幅用カバー片１１により、布団本体２および増幅用布団片３が被われた掛け布団１が完成する。
【００３０】
次に、本発明の他の実施の形態につき、図６を参照して説明する。
この発明の実施の形態による掛け布団２６は、布団本体２７と、布団カバー２８と、増長用布団片２９とを備えている。
【００３１】
布団本体２７は、掛け布団２６の本体部であり、図６(ｃ)のＡ−Ａ線断面図に示すように、その上面側にはファスナー３０が設けられている。
布団カバー２８は、長手方向の端部で布団カバー内部を２つに仕切る仕切り部３１を備えている。この仕切り部３１を境に、布団カバー内部は、布団本体２７を収納する布団本体収納部３２と、長手方向の端部に位置する袋状部３３とに区分されている。図６(ｃ)に示すように、布団本体収納部３２の内面には、ファスナー３４が設けられており、布団本体２７のファスナー３０と連結することで、布団カバー２８に対する布団本体２７の位置ずれを防止するようになっている。
【００３２】
袋状部３３には袋状部開口部３５が形成されており、袋状部開口部３５を介して、増長用布団片２９を袋状部３３内に収納し、取り外しされる。尚、増長用布団片２９を袋状部３３内に収納する開口部を、袋状部３３ではなく、仕切り部３１に形成しても良い。袋状部開口部３５の上下部の各々には、互いに連結するファスナー３６が設けられている。
【００３３】
布団カバー２８内に、布団本体２７および増長用布団片２９が入れられている際、増長用布団片２９が布団本体２７と接触せず、布団本体２７の長手方向の後端部から離間して、増長用布団片２９の長手方向の前端部が位置している。また、増長用布団片２９は、袋状部３３内に固定されておらず、袋状部３３内で移動可能である。これにより、増長用布団片２９は、袋状部３３内で、最後端側に移動し、増長用布団片２９を収納している袋状部３３は、自重により、下方に垂れ下がることが可能なようになっている。
【００３４】
この発明の実施の形態による掛け布団２６において、袋状部３３に増長用布団片２９を収納すれば、掛け布団２６の長手方向の後端部が垂れ下がることで、掛け布団使用者の足先を被い尽くすことができ、また、小柄な掛け布団使用者であれば、袋状部３３に増長用布団片２９を収納していない状態で、掛け布団２６を使用することができる。
【図面の簡単な説明】
【００３５】
【図１】本発明の実施の形態による掛け布団を示す斜視図である。
【図２】本発明の実施の形態による掛け布団の使用形態を示す図である。
【図３】本発明の実施の形態による布団カバーを示す斜視図である。
【図４】本発明の実施の形態による布団カバーの変形例を示す斜視図である。
【図５】本発明の実施の形態によるベッドスプレッドを示す斜視図である。
【図６】本発明の他の実施の形態による掛け布団を示す図である。
【符号の説明】
【００３６】
１‥‥掛け布団、２‥‥布団本体、３‥‥増幅用布団片、４‥‥ファスナー、６‥‥ファスナー、７‥‥第１の止着部材、１０‥‥布団カバー本体、１１‥‥増幅用カバー片、１４‥‥ファスナー、１８‥‥ファスナー、１９‥‥第２の止着部材、２０‥‥増幅用カバー片、２１‥‥ベッドスプレッド、２２‥‥ベッドスプレッド本体、２３‥‥増幅用スプレッド片、２６‥‥掛け布団、２７‥‥布団本体、２８‥‥布団カバー、２９‥‥増長用布団片、３３‥‥袋状部
【図１】
2005218629.tif 000003
【図２】
2005218629.tif 000004
【図３】
2005218629.tif 000005
【図４】
2005218629.tif 000006
【図５】
2005218629.tif 000007
【図６】
2005218629.tif 000008